(57)【要約】      （修正有）【課題】アイレリーフが長く、観察倍率が大きい、２枚のレンズを使用して十分な収差補正が行える接眼レンズを備えたファインダー光学系および撮像装置を提供する。【解決手段】正立像を形成するための像反転部材と、物体側から観察側へ順に配置された、正の屈折力の第１レンズ６ａと、物体側に凸面を向けた負の屈折力を有するメニスカス形状の第２レンズ６ｂより構成される接眼レンズ６と、を備えたファインダー光学系であって、前記第２レンズの物体側のレンズ面の曲率半径をＲ２１、前記第２レンズの観察側のレンズ面の曲率半径をＲ２２、前記第１レンズの観察側のレンズ面と前記第２レンズの物体側のレンズ面の面間隔をｄ１２、前記接眼レンズの全系の焦点距離をｆとするとき、０．０４＜ｄ１２／ｆ＜０．１、１．００＜（Ｒ２１＋Ｒ２２）／（Ｒ２１−Ｒ２２）＜５．００、なる条件式を満足する。【選択図】図１
2018097056.tif 000002
【特許請求の範囲】
【請求項１】
正立像を形成するための像反転部材と、
物体側から観察側へ順に配置された、正の屈折力の第１レンズと、物体側に凸面を向けた負の屈折力を有するメニスカス形状の第２レンズより構成される接眼レンズと、
を備えたファインダー光学系であって、
前記第２レンズの物体側のレンズ面の曲率半径をＲ２１、前記第２レンズの観察側のレンズ面の曲率半径をＲ２２、前記第１レンズの観察側のレンズ面と前記第２レンズの物体側のレンズ面の面間隔をｄ１２、前記接眼レンズの全系の焦点距離をｆとするとき、
０．０４＜ｄ１２／ｆ＜０．１
１．００＜（Ｒ２１＋Ｒ２２）／（Ｒ２１−Ｒ２２）＜５．００
なる条件式を満足することを特徴とするファインダー光学系。
【請求項２】
前記第２レンズの焦点距離をｆ２とするとき、
−１．９＜ｆ２／ｆ＜−０．４
なる条件式を満足することを特徴とする請求項１に記載のファインダー光学系。
【請求項３】
前記第１レンズの焦点距離をｆ１、前記第２レンズの焦点距離をｆ２とするとき、
−０．９１＜ｆ１／ｆ２＜−０．４
なる条件式を満足することを特徴とする請求項１または２に記載のファインダー光学系。
【請求項４】
請求項１乃至３のいずれか１項に記載のファインダー光学系において、
０．２１＜Ｒ２２／ｆ＜０．３
なる条件式を満足することを特徴とするファインダー光学系。
【請求項５】
前記第１レンズの物体側のレンズ面の曲率半径をＲ１１、前記第１レンズの観察側のレンズ面の曲率半径をＲ１２とするとき、
−２．６＜（Ｒ１１＋Ｒ１２）／（Ｒ１１−Ｒ１２）＜−０．３４
なる条件式を満足することを特徴とする請求項１乃至４のいずれか１項に記載のファインダー光学系。
【請求項６】
前記ファインダー光学系は、所定面に形成された物体像を観察するためのファインダー光学系であり、前記所定面から前記第１レンズの物体側のレンズ面までの距離をＬ１とするとき、
１．１＜Ｌ１／ｆ＜１．３
なる条件式を満足することを特徴とする請求項１乃至５のいずれか１項に記載のファインダー光学系。
【請求項７】
前記第２レンズの材料は鉛筆硬度が２Ｈ以上の材料であることを特徴とする請求項１乃至６のいずれか１項に記載のファインダー光学系。
【請求項８】
前記第２レンズは鉛筆硬度が２Ｈ以上のコート層を備えることを特徴とする請求項１乃至７のいずれか１項に記載のファインダー光学系。
【請求項９】
前記第２レンズの材料は樹脂材料であることを特徴とする請求項１乃至８のいずれか１項に記載のファインダー光学系。
【請求項１０】
該第１レンズの材料のアッベ数をν１とするとき、
５０．０＜ν１
なる条件式を満足することを特徴とする請求項１乃至９のいずれか１項に記載のファインダー光学系。
【請求項１１】
前記第１レンズの材料は樹脂材料であることを特徴とする請求項１０に記載のファインダー光学系。
【請求項１２】
アイポイントにおける瞳径の最大径をΦＨとするとき、
４．０＜ｆ／ΦＨ＜７．０
なる条件式を満足することを特徴とする請求項１乃至１１のいずれか１項に記載のファインダー光学系。
【請求項１３】
前記第１レンズの厚さをｄ１とするとき、
ｄ１／ｆ＜０．０９
なる条件式を満足することを特徴とする請求項１乃至１２のいずれか１項に記載のファインダー光学系。
【請求項１４】
前記第２レンズの厚さをｄ２とするとき、
ｄ２／ｆ＜０．０９
なる条件式を満足することを特徴とする請求項１乃至１３のいずれか１項に記載のファインダー光学系。
【請求項１５】
所定面に形成された物体像を観察するための請求項１乃至１４のいずれか１項に記載のファインダー光学系と、前記所定面に物体像を形成する撮像光学系を有することを特徴とする撮像装置。
【発明の詳細な説明】
【技術分野】
【０００１】
本発明は、ファインダー光学系および撮像装置に関し、特に一眼レフカメラ等に好適なものである。
【背景技術】
【０００２】
従来、一眼レフカメラでは、撮影光学系によって焦点板上に形成した物体像(ファインダー像)を、正立像を形成するための像反転部材（ペンタタハプリズムまたはペンタミラー）と接眼レンズを備えるファインダー光学系を介して拡大観察している。そして、像反転部材の大きさに依存する焦点板から接眼レンズまでの光路長によって、観察倍率やアイレリーフ（接眼レンズの射出面から観察者の瞳孔(アイポイント)までの距離）が決定されている。ここで、観察倍率は高く、アイレリーフは長いことが求められている。
【０００３】
そして、物体側から観察側へ順に配置された、正の屈折力の第１レンズと、焦点板に凸面を向けた負の屈折力を有するメニスカス形状の第２レンズと、により構成される接眼レンズを備えたファインダー光学系が、特許文献１に記載されている。特許文献１では、第１レンズの厚みと第２レンズの厚みの比、および第２レンズの観察側の面の曲率を規定し、観察倍率を高く、アイレリーフを長くしている。
【先行技術文献】
【特許文献】
【０００４】
【特許文献１】特開平１０−１３３１２７号公報
【発明の概要】
【発明が解決しようとする課題】
【０００５】
しかしながら、ファインダー光学系における接眼レンズとして、特許文献１に示すレンズ構成では、第１レンズと第２レンズの間隔が十分に取られていないため、観察倍率を十分に大きくしようとすると十分な収差補正を行いにくかった。例えば、焦点板と第１レンズの間隔を寿文に取ったファインダー光学系で高倍率とする場合、収差補正に不利なものであった。
【０００６】
本発明の目的は、アイレリーフが長く、観察倍率が大きい、２枚のレンズを使用して十分な収差補正が行える接眼レンズを備えたファインダー光学系および撮像装置を提供することにある。
【課題を解決するための手段】
【０００７】
上記目的を達成するために、本発明に係るファインダー光学系は、正立像を形成するための像反転部材と、物体側から観察側へ順に配置された、正の屈折力の第１レンズと、物体側に凸面を向けた負の屈折力を有するメニスカス形状の第２レンズより構成される接眼レンズと、を備えたファインダー光学系であって、前記第２レンズの物体側のレンズ面の曲率半径をＲ２１、前記第２レンズの観察側のレンズ面の曲率半径をＲ２２、前記第１レンズの観察側のレンズ面と前記第２レンズの物体側のレンズ面の面間隔をｄ１２、前記接眼レンズの全系の焦点距離をｆとするとき、
０．０４＜ｄ１２／ｆ＜０．１
１．００＜（Ｒ２１＋Ｒ２２）／（Ｒ２１−Ｒ２２）＜５．００
なる条件式を満足することを特徴とする。
【０００８】
また、本発明に係る撮像装置は、所定面に形成された物体像を観察するための上記ファインダー光学系と、前記所定面に物体像を形成する撮像光学系を有することを特徴とする。
【発明の効果】
【０００９】
本発明によれば、アイレリーフが長く、観察倍率が大きい、２枚のレンズを使用して十分な収差補正が行える接眼レンズを備えたファインダー光学系および撮像装置を提供することができる。
【図面の簡単な説明】
【００１０】
【図１】本発明の実施形態に係る接眼レンズを備えたファインダー光学系を一眼レフカメラに適用したときの要部断面図
【図２】数値実施例１の接眼レンズの断面図
【図３】数値実施例１の接眼レンズの収差図
【図４】数値実施例２の接眼レンズの断面図
【図５】数値実施例２の接眼レンズの収差図
【図６】数値実施例３の接眼レンズの断面図
【図７】数値実施例３の接眼レンズの収差図
【図８】数値実施例４の接眼レンズの断面図
【図９】数値実施例４の接眼レンズの収差図
【図１０】数値実施例５の接眼レンズの断面図
【図１１】数値実施例５の接眼レンズの収差図
【発明を実施するための形態】
【００１１】
以下に、本発明の好ましい実施の形態を、添付の図面に基づいて詳細に説明する。
【００１２】
（撮像装置および撮像光学系、ファインダー光学系）
図１は、本発明の実施形態に係る接眼レンズを備えたファインダー光学系を撮像装置としてのデジタル一眼レフカメラに適用したときの要部断面図である。図１において、１は撮像光学系としての撮像レンズ（撮影レンズ）であり、カメラ本体（不図示）に固定してまたは着脱可能に設けられる。２はクイックリターンミラー（ＱＲミラー）であり、被写体（物体）を観察する際には撮影レンズ１からの光束を図１の配置で上方に反射させ、被写体（物体）を撮像する際には跳ね上げられる。
【００１３】
８は撮像レンズ１の像面であり、ＣＣＤセンサーやＣＭＯＳセンサー等の固体撮像素子（撮像手段）の撮像面またはフィルム（撮像手段）等の感光面に相当する。
【００１４】
３は焦点板、４は焦点板３のマット面であり、そのマット面上には撮影レンズ１による被写体像（物体像、ファインダー像）が形成されている。５は正立像を形成するための像反転部材としてのペンタミラーであり、マット面４上の被写体像を正立正像としている。また、６は接眼レンズであり、ペンタミラー５と共にファインダー光学系の一部を構成している。
【００１５】
このように、本実施形態のファインダー光学系は、所定面に形成された物体像を観察するために物体側から観察側へ順に配置された、正立像を形成するための像反転部材としてのペンタミラー５と、接眼レンズ６と、を備える。７はアイポイントであり、観察者の眼が位置する。接眼レンズ６の最終レンズ面から観察側のアイポイント７までの距離がアイレリーフに相当している。
【００１６】
（ファインダー光学系における接眼レンズ）
以下の説明において、間隔、距離は光路に沿った長さを示すものとして用いる。
【００１７】
本実施形態の接眼レンズ６は、物体側から観察側へ順に配置された、正の屈折力の第１レンズ６ａと、マット面４に凸面を向けた負の屈折力を有するメニスカス形状の第２レンズ６ｂと、により構成される。ここで、第２レンズの物体側の面（レンズ面）の曲率半径をＲ２１、第２レンズの観察側の面（レンズ面）の曲率半径をＲ２２、第１レンズの観察側の面と第２レンズの物体側の面の面間隔をｄ１２、接眼レンズの全系の焦点距離をｆとする。
【００１８】
このとき、本実施形態の接眼レンズ６は、
０．０４＜ｄ１２／ｆ＜０．１  ・・・（１）
１．００＜（Ｒ２１＋Ｒ２２）／（Ｒ２１−Ｒ２２）＜５．００  ・・・（２）
なる条件式を満足するようにしている。
【００１９】
条件式（１）は、高倍率で良好な像を観察できるファインダー光学系における接眼レンズを実現するための条件式である。条件式（１）を満たすことで、前側主点を前方に出すことができる。このため、ファインダー光学系の観察倍率（倍率、ファインダー倍率）を上げることが出来ると共に、各レンズの焦点距離が大きくなり倍率色収差の発生を抑制すると共にコマ収差を補正することも可能となる。
【００２０】
条件式（１）の下限を超えると、前側主点を前方に出すことができないためファインダー倍率を大きくすることが困難になる。また、条件式（１）の下限を超えてファインダー倍率を大きくした場合、第１レンズ６ａと第２レンズ６ｂの焦点距離が小さくなってしまうため、倍率色収差が発生してしまうと共にコマ収差の補正も困難となる。
【００２１】
逆に条件式（１）の上限を超えると、後側主点が前側に行ってしまうため、アイレリーフを長くすることが出来ない。また、条件式（１）の上限を超えると、ファインダー光学系の全系の全長が大きくなり、ファインダー光学系が大型化してしまう。
【００２２】
条件式（２）は、十分なアイレリーフを確保しつつ、高倍率で良好な像を観察できるファインダー光学系における接眼レンズを実現するための条件式である。条件式（２）の下限を超えると、第２レンズの主点が前側に行ってしまうため、第１レンズ（正レンズ）の主点との間隔を広げることが出来ないため、高倍率とすることができない。
【００２３】
逆に条件式（２）の上限を超えてしまうと、第２レンズの主点が後側になるため主点間隔は広がるが、第２レンズの観察側の面の曲率半径が小さくなりすぎてしまい、実質的なアイポイントが短くなってしまう。
【００２４】
また、本実施形態の接眼レンズ６において、第２レンズ６ｂの焦点距離をｆ２とするとき、 
−１．９＜ｆ２／ｆ＜−０．４  ・・・（３）
なる条件式を満たすことが望ましい。条件式（３）は、高倍率で良好な像を観察できるファインダー光学系における接眼レンズを実現するための条件式である。条件式（３）の上限を超えると、第２レンズの焦点距離が短くなりすぎてしまい、倍率色収差を発生させてしまうと共に球面収差を補正しきれなくなってしまう。逆に条件式（３）の下限を超えると、第２レンズの焦点距離が長くなりすぎてしまい、前側主点の位置が前方に行かなくなってしまうため、高倍率とすることが難しい。
【００２５】
また、本実施形態の接眼レンズ６において、第２レンズ６ｂの焦点距離をｆ２に対し、第１レンズ６ａの焦点距離をｆ１とするとき、
−０．９１＜ｆ１／ｆ２＜−０．４   ・・・（４）
なる条件式を満たすことが望ましい。条件式（４）はコマ収差を補正しつつ、高倍率となるための条件式である。条件式（４）の下限を超えると、高い倍率を得ることが難しくなってしまう。逆に条件式（４）の上限を超えると、高い倍率が得られるが、コマ収差の補正が難しくなってしまう。
【００２６】
また、本実施形態の接眼レンズ６において、第２レンズの観察側面の曲率半径Ｒ２２に関し、
０．２１＜Ｒ２２／ｆ＜０．３  ・・・（５）
なる条件式を満たすことが望ましい。条件式（５）は、コマ収差の補正および実質的なアイポイントを確保するための条件式である。
【００２７】
条件式（５）の下限を超えると、第２レンズ６ｂの観察側の曲率半径が小さくなりすぎてしまい、ファインダーをのぞいた際の実質的なアイポイントが短くなってしまう。条件式（５）の上限を超えると、第２レンズ６ｂの観察側面の曲率半径が大きくなりすぎてしまい、第２レンズの主点を変位させることが困難となる。
【００２８】
また、本実施形態の接眼レンズ６において、第１レンズ６ａの物体側（ペンタミラー側）の面（レンズ面）の曲率半径をＲ１１、観察側（第２レンズ６ｂ側）の面（レンズ面）の曲率半径をＲ１２とするとき、以下の条件式を満足することが望ましい。 
【００２９】
−２．６＜（Ｒ１１＋Ｒ１２）／（Ｒ１１−Ｒ１２）＜−０．３４  ・・・（６）
条件式（６）は、第１レンズ６ａの主点を前方へ移動し、倍率色収差を抑制するための条件式である。条件式（６）の下限を超えると、第１レンズ６ａの主点が前方に変位しなくなってしまい、ファインダー倍率を高くすることができなくなってしまう。また、条件式（６）の上限を超えると、第１レンズ６ａの観察側の面の曲率半径が小さくなりすぎてしまい、コマ収差が発生してしまう。
【００３０】
また、本実施形態の接眼レンズ６において、マット面４から第１レンズ６ａの物体側の面までの距離をＬ１とするとき、 
１．１＜Ｌ１／ｆ＜１．３  ・・・（７）
なる条件式を満たすことが望ましい。条件式（７）は、高倍率を確保すると共に、観察者が接眼レンズ６を覗きづらくならないように実質的なアイポイントを確保するための条件式である。
【００３１】
条件式（７）の上限を超えると、接眼レンズ全体がマット面４から離れてしまい、焦点距離が長くなってしまうことにより、高い倍率を得ることが困難となってしまう。逆に条件式（７）の下限を超えると、接眼レンズ全体はマット面４に近づくために、高い倍率を得ることは可能であるが、接眼レンズ全体がカメラ前方に行ってしまうため、観察者が接眼レンズ６を覗きづらくなってしまう。
【００３２】
また、本実施形態の接眼レンズ６において、第１レンズ６aの材料のアッべ数をν１とするとき、
５０．０＜ν１  ・・・（８）
なる条件式を満たすことが望ましい。条件式（８）は、倍率色収差の発生を抑制する条件式である。条件式（８）の下限を超えてしまうと、第１レンズ６ａで倍率色収差が大幅に発生してしまう。
【００３３】
また、本実施形態の接眼レンズ６において、被写体像を観察する観察位置であるアイポイント７の位置における瞳径の最大径をΦＨとするとき、
４．０＜ｆ／ΦＨ＜７．０ ・・・（９）
なる条件式を満たすことが望ましい。条件式（９）は、瞳径を大きく設計し、接眼レンズを覗いた際にケラレが生じにくくするための条件式である。
【００３４】
条件式（９）の上限を超えてしまうと瞳径が小さくなってしまうため、観察者がファインダーを覗いた際に、アイポイント位置の光軸上以外ではケラレが生じ易くなってしまい、被写体像を観察しづらくなってしまう。逆に条件式（９）の下限を超えてしまうと、レンズを大きくしなければならず、接眼レンズが大型化してしまうと共に諸収差、特に球面収差が劣化してしまう。
【００３５】
また、本実施形態の接眼レンズ６において、第１レンズ６ａの厚みをｄ１、第２レンズ６ｂの厚みをｄ２としたときに、
ｄ１／ｆ＜０．０９  ・・・（１０）
ｄ２／ｆ＜０．０９  ・・・（１１）
なる条件式を満たすことが望ましい。
【００３６】
条件式(１０)、（１１）は、第１レンズ６ａ、第２レンズ６ｂがそれぞれプラスチックレンズ（樹脂製のレンズ）として良好に成形できる条件式である。条件式（１０）、（１１）共に上限を超えてしまうと、レンズ厚が厚くなってしまい、プラスチックレンズを良好に成形することが難しくなる。
【００３７】
以上、本実施形態によれば、低コストでありながら、観察倍率とアイレリーフを十分に確保しつつ、各諸収差を良好に改善し、所定サイズの撮像センサーを有する一眼レフカメラに適したファインダー光学系および撮像装置を提供できる。
【００３８】
（実施例）
以下、本実施形態の接眼レンズ６について、実施例（数値例）１乃至５を図２乃至図１１を用いて説明する。図３、図５、図７、図９、図１１に示す実施例１乃至５の収差図において、球面収差図の実線のｄはｄ線、２点鎖線のｆはＦ線である。また、非点収差図において、Ｍはメリディオナル像面、Ｓはサジタル像面である。また、歪曲収差図(歪曲図)はｄ線について示している。また、倍率色収差図（色収差図）は、ｄ線を基準としたＦ線について示している。ここで、φは瞳径、ｈはマット面４での像高である。
【００３９】
（実施例１）
以下、本実施形態の接眼レンズ６に関し、図２を参照して実施例１の接眼レンズを説明する。接眼レンズ６は、正の屈折力の第１レンズ６ａ、マット面側に凸面を向け、観察側に凹面を向けた負の屈折力を有するメニスカス形状の第２レンズ６ｂから構成されている。第１レンズ６ａは、両凸形状となっている。
【００４０】
第２レンズ６ｂは、アクリル系樹脂より成っている。アクリル系樹脂の鉛筆硬度は３Ｈであるため、最もアイポイント７側を鉛筆硬度の大きい樹脂材料にすることにより、傷つきにくい耐候性に優れたファインダー光学系となっている。なお、第１レンズ６ａもアクリル系樹脂より成っている。
【００４１】
（実施例２）
以下、図４を参照して、実施例２の接眼レンズ６について説明する。接眼レンズ６は、正の屈折力の第１レンズ６ａ、マット面側に凸面を向け、観察側に凹面を向けた負の屈折力を有するメニスカス形状の第２レンズ６ｂから構成されている。第１レンズ６ａは、物体側に凸面を向けたメニスカス形状となっている。
【００４２】
第２レンズ６ｂは、アクリル系樹脂より成っている。アクリル系樹脂の鉛筆硬度は３Ｈであるため、最もアイポイント７側を鉛筆硬度の大きい樹脂材料にすることにより、傷つきにくい耐候性に優れたファインダー光学系となっている。なお、第１レンズ６ａもアクリル系樹脂より成っている。
【００４３】
（実施例３）
以下、図６を参照して、実施例３の接眼レンズ６について説明する。接眼レンズ６は、正の屈折力の第１レンズ６ａ、マット面側に凸面を向け、観察側に凹面を向けた負の屈折力を有するメニスカス形状の第２レンズ６ｂから構成されている。第１レンズ６ａは、両凸形状となっている。
【００４４】
第２レンズ６ｂは、アクリル系樹脂より成っている。アクリル系樹脂の鉛筆硬度は３Ｈであるため、最もアイポイント７側を鉛筆硬度の大きい樹脂材料にすることにより、傷つきにくい耐候性に優れたファインダー光学系となっている。なお、第１レンズ６ａもアクリル系樹脂より成っている。
【００４５】
（実施例４）
以下、図８を参照して、実施例４の接眼レンズ６について説明する。接眼レンズ６は、正の屈折力の第１レンズ６ａ、マット面側に凸面を向け、観察側に凹面を向けた負の屈折力を有するメニスカス形状の第２レンズ６ｂから構成されている。第１レンズ６ａは、物体側に凸面を向けたメニスカス形状となっている。
【００４６】
第２レンズ６ｂは、アクリル系樹脂より成っている。アクリル系樹脂の鉛筆硬度は３Ｈであるため、最もアイポイント７側を鉛筆硬度の大きい樹脂材料にすることにより、傷つきにくい耐候性に優れたファインダー光学系となっている。なお、第１レンズ６ａもアクリル系樹脂より成っている。
【００４７】
（実施例５）
以下、図１０を参照して、実施例５の接眼レンズ６について説明する。接眼レンズ６は、正の屈折力の第１レンズ６ａ、マット面側に凸面を向け、観察側に凹面を向けた負の屈折力を有するメニスカス形状の第２レンズ６ｂから構成されている。第１レンズ６ａは、両凸形状となっている。
【００４８】
第２レンズ６ｂは、アクリル系樹脂より成っている。アクリル系樹脂の鉛筆硬度は３Ｈであるため、最もアイポイント７側を鉛筆硬度の大きい樹脂材料にすることにより、傷つきにくい耐候性に優れたファインダー光学系となっている。なお、第１レンズ６ａもアクリル系樹脂より成っている。
【００４９】
（数値実施例）
次に、各実施例に対応する数値実施例を示す。各数値実施例において、面番号は焦点板３からの順番を示す。ｒｉは焦点板３側より順に第ｉ番目の光学素子面の曲率半径、ｄｉは焦点板３のマット面４側より順に第ｉ番目の光学素子厚及び空気間隔である。ｎｄｉとνｄｉは各々焦点板３のマット面４側より順に第ｉ番目の光学素子の材料の屈折率とアッベ数である。ｒ１は、焦点板３のマット面（物体像が形成される面）４に相当する。
【００５０】
なお、各数値実施例において＊印は非球面を表しており、非球面形状は光軸方向にＸ軸、光軸と垂直方向にＹ軸、光の進行方向を正としＲを近軸曲率半径、Ｋ、Ａ４、Ａ６、Ａ８、Ａ１０としたとき、以下の式によって定義されるものである。
【００５１】
【数１】
2018097056.tif 000003
【００５２】
なお、「ｅ−０Ｘ」の表示は「１０−Ｘ」を意味している。また、数値実施例におけるアイポイントは、接眼レンズの最終レンズ面からアイポイントまでの距離（アイレリーフ）を示している。
【００５３】
（数値実施例１）
単位 mm 
面データ
面番号       r        d      nd         vd 
1          ∞      69.90                             
2          ∞     9.80 
3*        18.566    5.40   1.49171    57.4           
4        -39.186  2.80 
5       1565.243    5.40   1.49171    57.4           
6*        14.287   21.00                             
7  (アイポイント) 
非球面データ
第3面
K =-5.75655e-001  A 4=-2.01555e-005  A 6= 4.80641e-009  A 8=-6.46709e-010  A10= 2.37680e-012  
第6面
K =-3.23182e-001  A 4=-1.33931e-005  A 6= 3.96721e-007  A 8=-1.18160e-008  A10= 6.76408e-011  
焦点距離      65.14  
レンズ焦点距離
f1     26.43  
f2     -29.36 
【００５４】
（数値実施例2）
単位 mm 
面データ
面番号       r        d      nd         vd 
1          ∞      70.00                             
2          ∞       6.97 
3*        15.585    5.30   1.49171    57.4           
4         36.295 5.83 
5         23.275    5.30   1.49171    57.4           
6*        15.493   21.00                             
7  (アイポイント) 
非球面データ
第3面
K = 4.01865e-001  A 4=-2.51891e-005  A 6=-7.29879e-008  A 8=-1.66486e-010  A10=-6.67347e-012  
第6面
K = 8.21262e-001  A 4= 1.19112e-006  A 6= 5.00857e-007  A 8=-1.45303e-008  A10= 1.81832e-010  
焦点距離      65.14 
f1      51.23  
f2    -121.50  
【００５５】
（数値実施例３）
単位 mm 
面データ
面番号       r        d      nd         vd 
1          ∞      70.00                             
2          ∞     9.44 
3*        18.050    5.61   1.49171    57.4           
4        -51.202  2.65 
5        255.644    5.70   1.49171    57.4           
6*        14.721   21.00                             
7  (アイポイント) 
非球面データ
第3面
K = 8.76528e-001  A 4=-3.63988e-005  A 6=-2.38330e-007  A 8= 9.28108e-010  A10=-1.01145e-011  
第6面
K = 2.32782e+000  A 4=-7.76861e-005  A 6=-2.04534e-006  A 8= 3.19102e-008  A10=-7.55063e-010  
焦点距離      65.05  
レンズ焦点距離
f1      27.89  
f2     -32.02  
【００５６】
（数値実施例４）
単位 mm 
面データ
面番号       r        d      nd         vd 
1          ∞      70.00                             
2          ∞     10.01 
3*        13.727    5.30   1.49171    57.4           
4        332.554  2.79 
5       1421.116    5.30   1.49171    57.4           
6*        16.559   21.00                             
7  (アイポイント) 
非球面データ
第3面
K = 1.63496e-001  A 4=-1.80628e-005  A 6=-9.88545e-008  A 8= 5.14393e-010  A10=-1.16894e-011  
第6面
K = 3.23808e+000  A 4=-1.59783e-005  A 6=-5.11274e-007  A 8= 9.58027e-009  A10=-3.84956e-010  
焦点距離      64.86  
レンズ焦点距離
f1      28.96  
f2     -34.12  
【００５７】
（数値実施例５）
単位 mm 
面データ
面番号       r        d      nd         vd 
1          ∞      69.90                             
2          ∞     9.68 
3*        20.558    5.40   1.53110    56.0           
4        -42.278   2.92                            
5        365.243    5.40   1.49171    57.4           
6*        14.151   21.00                             
7  (アイポイント) 
非球面データ
第3面
K =-3.77329e-001  A 4=-2.27006e-005  A 6= 5.62409e-009  A 8=-5.12971e-010  A10= 1.96141e-012  
第6面
K =-2.58282e-001  A 4=-2.42116e-005  A 6= 3.11201e-007  A 8=-1.06875e-008  A10= 6.96431e-011  
焦点距離      65.14
レンズ焦点距離
f1      26.84  
f2     -30.09  
ここで、前述の条件式１乃至１１と、実施例１乃至５における諸数値との関係を表１に示す。
【００５８】
【表１】
2018097056.tif 000004
【００５９】
（変形例）
以上、本発明の好ましい実施形態について説明したが、本発明はこれらの実施形態に限定されず、その要旨の範囲内で種々の変形及び変更が可能である。
【００６０】
（変形例１）
上述した実施形態では、鉛筆硬度が２Ｈ以上の硬い第２レンズに関し、レンズ材料として２Ｈ以上の硬い材料を用いたが、レンズ表面に被覆層（コート層）として耐衝撃ハードコートを施すものであっても良い。
【００６１】
（変形例２）
また、上述した実施形態では、第１レンズ６ａ、第２レンズ６ｂのそれぞれ２つのレンズ面のうちの１面を非球面としたが、それぞれ２つのレンズ面を非球面としても良い。あるいは、第１レンズ６ａ、第２レンズ６ｂのそれぞれ２つのレンズ面において、非球面を用いない形態であっても良い。
【００６２】
（変形例３）
また、上述した実施形態では、正立像を形成するための像反転部材としてペンタミラーを用いたが、ペンタタハプリズムを用いることもできる。
【符号の説明】
【００６３】
５・・ペンタミラー、６・・接眼レンズ、６ａ・・第１レンズ、６ｂ・・第２レンズ
【図１】
2018097056.tif 000005
【図２】
2018097056.tif 000006
【図３】
2018097056.tif 000007
【図４】
2018097056.tif 000008
【図５】
2018097056.tif 000009
【図６】
2018097056.tif 000010
【図７】
2018097056.tif 000011
【図８】
2018097056.tif 000012
【図９】
2018097056.tif 000013
【図１０】
2018097056.tif 000014
【図１１】
2018097056.tif 000015